(57)【要約】【課題】インフレータに接続されたハーネスをラッピングシートに安定して保持することができるとともに、ハーネスをクランプするための部品点数を低減して製造及び組付作業を容易に行い、コストの低減を図ることができるサイドエアバッグ装置を提供する。【解決手段】インフレータ１２と折り畳まれたサイドエアバッグ１３をラッピングシート１４によってラッピングする。ラッピングシート１４のシート本体１４ａの開口部を、上部遮蔽シート片２５と下部遮蔽シート片２６により遮蔽する。インフレータ１２に接続されたハーネス１７を下部遮蔽シート片２６に連続して形成したクランプ片３２によってクランプする。このクランプ片３２をコーションラベルによりシート本体１４ａの表面に貼り付ける。【選択図】      図１
2004291887.tif 000002
【特許請求の範囲】
【請求項１】
車両の衝突時或いは衝突が予測されたとき、ハーネスからの給電によってガスを発生させるインフレータと、
前記インフレータに折り畳まれた状態で取着され、かつ前記インフレータにより発生されたガスにより膨張展開されるサイドエアバックと、
前記インフレータに設けられ、かつ車両の一部に該インフレータを取り付けるための取付手段と、
前記インフレータ及び折り畳まれたサイドエアバッグをラッピングするラッピングシートと
により構成されたサイドエアバッグ装置において、
前記ラッピングシートを形成する袋状のシート本体の開口部に対し、該開口部を遮蔽するための遮蔽シート片を設け、前記シート本体に対し前記遮蔽シートを前記取付手段により遮蔽位置に係止し、前記シート本体又は遮蔽シート片に対し、前記インフレータに接続され、かつラッピングシートから導出されたハーネスの一部をクランプするためのクランプ片を設け、該クランプ片をラッピングシートの表面に止着手段により止着するようにしたサイドエアバッグ装置。
【請求項２】
請求項１において、前記取付手段は前記インフレータに取り付けた複数の取付ボルトであって、各取付ボルトは前記シート本体を形成する第１及び第２シート片のいずれか一方のシート片に設けられた複数の貫通孔から外部に突出され、前記遮蔽シート片には前記各貫通孔と対応するように複数の貫通孔が形成され、該遮蔽シート片の各貫通孔に前記取付ボルトを貫通して該遮蔽シート片を遮蔽位置に係止するようにしたサイドエアバッグ装置。
【請求項３】
請求項１又は２において、前記止着手段は前記ハーネスのクランプ片の先端縁と、ラッピングシートの表面の一部に跨って接着される貼付シートであるサイドエアバッグ装置。
【請求項４】
請求項３において、前記貼付シートはコーションラベルであるサイドエアバッグ装置。
【請求項５】
請求項３又は４において、前記クランプ片及びシート本体には前記貼付シートを貼り付けるための位置を設定する貼付位置指示孔、貼付位置指示凹部又は貼付位置指示凸部が形成されているサイドエアバッグ装置。
【請求項６】
請求項１〜５のいずれか１項において、前記シート本体の端部は、シート片を三層以上に折り畳んで袋状に形成され、そのシート片の互いに溶着される端縁には切欠又は透孔が形成され、各端縁の熱溶着は前記切欠又は透孔を挟むようにして行われたものであるサイドエアバッグ装置。
【請求項７】
請求項１〜６のいずれか１項において、前記ラッピングシートは、一枚のシート素材によって形成され、前記シート本体の開口部を形成する一対の開口縁のうち一方の開口縁に対し前記遮蔽シート片が連続して一体に形成され、該遮蔽シート片の先端部にはクランプ片が連続して一体に形成されているサイドエアバッグ装置。
【請求項８】
請求項７において、前記クランプ片は、遮蔽シートの先端縁から該遮蔽シートの表面側に折り返えされて、該遮蔽シート片に接合することにより形成されているサイドエアバッグ装置。
【請求項９】
請求項１〜８のいずれか１項に記載のサイドエアバッグ装置に用いるラッピングシート。
【発明の詳細な説明】
【０００１】
【発明の属する技術分野】
本発明は、サイドエアバッグ装置及びそれに用いるラッピングシートに関するものである。
【０００２】
【従来の技術】
一般に、サイドエアバッグ装置はモジュール化されて、例えば車両の座席の背もたれ部の側部に埋設されている。このサイドエアバッグ装置は、車両の衝突時に、バッテリに接続されたハーネスからの給電によってガス発生剤を作動させてガスを発生させるインフレータと、前記インフレータに折り畳まれた状態で取着され、かつ前記ガスにより膨張展開されるサイドエアバックとを備えている。又、前記インフレータには前記背もたれ部のフレームに該インフレータを取り付けるための二本の取付ボルトが設けられている。さらに、前記インフレータ及び折り畳まれたサイドエアバッグはラッピングシートによってラッピングされている。
【０００３】
前記ラッピングシートを形成する袋状のシート本体の開口部には、該開口部を遮蔽するための遮蔽シート片が設けられている。前記シート本体を形成する第１及び第２シート片のうち第１シート及び遮蔽シート片には、前記インフレター側の二本の取付ボルトを貫通して外部へ突出するための貫通孔が形成されている。
【０００４】
前記ラッピングシートの開口部から外部に導出された前記ハーネスがサイドエアバッグ装置の上部から導出されている場合には、前記座席の背もたれ部にサイドエアバッグ装置を組み付ける際に前記ハーネスが他部材と干渉するのを避ける必要がある。このため、前記ラッピングシート又は背もたれ部側の前記フレームに対しクランプ部材によりハーネスを止着するようになっていた。ラッピングシートによりインフレータ及びサイドエアバッグをラッピングし、ハーネスをラッピングシートから外部に導出する構成は、特許文献１に開示されている。
【０００５】
【特許文献１】
特開２００１−１５１０６４
【０００６】
【発明が解決しようとする課題】
ところが、従来のサイドエアバッグ装置は、ラッピングシート又は座席の背もたれ部のフレームに対し、前記ハーネスを固定するためのクランプ部材を取り付けるための取付孔を形成するとともに、専用部品としてのクランプ部材を製造しなければならない。このため、部品点数が多くなって製造及び座席への組付作業を容易に行うことができず、特に、ハーネスをサイドエアバッグ装置の上部から導出する構成においては、コストの低減が難しいという問題があった。
【０００７】
サイドエアバッグ装置の下部からハーネスを導出する構成においても、ラッピングシートにハーネスをクランプするクランプ部材が無いと、ハーネスがブラブラしてインフレータとハーネスとの接続部に捻り等の外力が作用し易く、接続部の不良が生じる虞がある。その上、フリー状態のハーネスが座席の背もたれ部へのサイドエアバッグ装置の組付作業時に支障を生じさせるという問題もあった。
【０００８】
又、従来のサイドエアバッグ装置は、ラッピングシートの表面に対して装置の仕様や警告等を印刷表示したコーションラベルを貼付するようにしていた。このコーションラベルの貼付位置を設定するために貼付部にケガキ線（型掘り込み）、刻印或いはマーキング（印刷）したり、さらには治具による貼付位置の規制を行ったりしていた。
【０００９】
このため、前記コーションラベルの貼付位置を設定する作業が非常に面倒であったり、治具による貼付位置の規制も面倒であったりして、ラベルの貼付作業のコストの低減を図ることができないという問題があった。
【００１０】
さらに、サイドエアバッグ装置のサイドエアバッグが大型化すると、ラッピングシートも大型化し、シート本体を二層のシート片のみによって袋状に形成しただけでは開口部の長さ寸法が長くなり過ぎて十分なラッピング効果が期待できない。このため、ラッピングシートの例えば上側部の開口部を遮蔽する遮蔽シート片を予めシート本体の表面に折り返して接触し、その上端縁をシート本体の二層の上端縁に重ね合わせて形成された三層の端縁を熱溶着装置により溶着し、シート本体の上側部に袋状の収容部を形成するようにしている。
【００１１】
この場合、熱溶着装置の加熱ヒータが片側にしかない場合には、シート片の三層の端縁を確実かつ適正に熱溶着することができないという問題があった。即ち、加熱ヒータ側の二層の端縁は熱溶着が適正に行われるが、加熱ヒータから最も遠い端縁と、それに接触する端縁との溶着が不十分となり、熱溶着が不確実となる。
【００１２】
この発明の主たる目的は、インフレータに接続されたハーネスをラッピングシートに安定して保持することができるとともに、ハーネスをクランプするための部品点数を低減して製造及び組付作業を容易に行い、コストの低減を図ることができるサイドエアバッグ装置を提供することにある。
【００１３】
この発明の別の目的は、上記目的に加えて、コーションラベルの貼付位置の設定を容易に行い、コストの低減を図ることができるサイドエアバッグ装置を提供することにある。
【００１４】
この発明のさらに別の目的は上記目的に加えて、袋状のシート本体のシート片の端縁が三層以上の溶着であっても、溶着を確実に行うことができるサイドエアバッグ装置を提供することにある。
【００１５】
【課題を解決するための手段】
上記問題点を解決するために、請求項１に記載の発明は、車両の衝突時或いは衝突が予測されたとき、ハーネスからの給電によってガスを発生させるインフレータと、前記インフレータに折り畳まれた状態で取着され、かつ前記インフレータにより発生されたガスにより膨張展開されるサイドエアバックと、前記インフレータに設けられ、かつ車両の一部に該インフレータを取り付けるための取付手段と、前記インフレータ及び折り畳まれたサイドエアバッグをラッピングするラッピングシートとにより構成されたサイドエアバッグ装置において、前記ラッピングシートを形成する袋状のシート本体の開口部に対し、該開口部を遮蔽するための遮蔽シート片を設け、前記シート本体に対し前記遮蔽シートを前記取付手段により遮蔽位置に係止し、前記シート本体又は遮蔽シート片に対し、前記インフレータに接続され、かつラッピングシートから導出されたハーネスの一部をクランプするためのクランプ片を設け、該クランプ片をラッピングシートの表面に止着手段により止着するようにしたことを要旨とする。
【００１６】
請求項２に記載の発明は、請求項１において、前記取付手段は前記インフレータに取り付けた複数の取付ボルトであって、各取付ボルトは前記シート本体を形成する第１及び第２シート片のいずれか一方のシート片に設けられた複数の貫通孔から外部に突出され、前記遮蔽シート片には前記各貫通孔と対応するように複数の貫通孔が形成され、該遮蔽シート片の各貫通孔に前記取付ボルトを貫通して該遮蔽シート片を遮蔽位置に係止するようにしたことを要旨とする。
【００１７】
請求項３に記載の発明は、請求項１又は２において、前記止着手段は前記ハーネスのクランプ片の先端縁と、ラッピングシートの表面の一部に跨って接着される貼付シートであることを要旨とする。
【００１８】
請求項４に記載の発明は、請求項３において、前記貼付シートはコーションラベルであることを要旨とする。
請求項５に記載の発明は、請求項３又は４において、前記クランプ片及びシート本体には前記貼付シートを貼り付けるための位置を設定する貼付位置指示孔、貼付位置指示凹部又は貼付位置指示凸部が形成されていることを要旨とする。
【００１９】
請求項６に記載の発明は、請求項１〜５のいずれか１項において、前記シート本体の端部は、シート片を三層以上に折り畳んで袋状に形成され、そのシート片の互いに溶着される端縁には切欠又は透孔が形成され、各端縁の熱溶着は前記切欠又は透孔を挟むようにして行われたものであることを要旨とする。
【００２０】
請求項７に記載の発明は、請求項１〜６のいずれか１項において、前記ラッピングシートは、一枚のシート素材によって形成され、前記シート本体の開口部を形成する一対の対向する開口縁のうち一方の開口縁に対し前記遮蔽シート片が連続して一体に形成され、該遮蔽シート片の先端部にはクランプ片が連続して一体に形成されていることを要旨とする。
【００２１】
請求項８に記載の発明は、請求項７において、前記クランプ片は、遮蔽シートの先端縁から該遮蔽シートの表面側に折り返えされて、該遮蔽シート片に接合することにより形成されていることを要旨とする。
【００２２】
請求項９に記載の発明は、請求項１〜８のいずれか１項に記載のサイドエアバッグ装置に用いるラッピングシートを要旨とする。
【００２３】
【発明の実施の形態】
以下、本発明を具体化したサイドエアバッグ装置の一実施形態を図１〜図７に従って説明する。
【００２４】
最初に、図１〜図３に基づいて、サイドエアバッグ装置１１の概略構成について説明する。このサイドエアバッグ装置１１は内部にガス発生剤（図示略）を封入したシリンダー型のインフレータ１２と、このインフレータ１２によって発生するガスにより膨張展開されるサイドエアバッグ１３と、前記インフレータ１２及び折り畳まれたサイドエアバッグ１３全体を被覆するラッピングシート１４とによって構成されている。
【００２５】
前記インフレータ１２の外周面には取付板１５を介して一対の取付ボルト１６，１６が立設されている。この取付ボルト１６，１６によりサイドエアバッグ装置１１が車両に設けた図３に示す座席８の背もたれ部９の側端部のフレームＦに取り付けられて埋設されている。
【００２６】
前記インフレータ１２の上端部には、ハーネス１７の先端が接続されていて、車両のバッテリ（図示略）からインフレータ１２内の着火剤（図示略）に給電されるようになっている。前記インフレータ１２の下端部には、ガスの噴出口１８が設けられ、サイドエアバッグ１３内にガスを供給するようになっている。従って、前記ハーネス１７からインフレータ１２内に設けた着火剤に給電されると、ガス発生剤（図示略）が作動されてガスが発生され、噴出口１８からサイドエアバッグ１３の内部にガスが供給され、サイドエアバッグ１３がラッピングシート１４の後述する展開用スリット２３を突き破って膨張展開される。
【００２７】
次に、この発明の要部である前記ラッピングシート１４について詳細に説明する。
前記ラッピングシート１４は概略的に見て次のように構成されている。即ち、このラッピングシート１４は、前記インフレータ１２及び折り畳まれたサイドエアバッグ１３全体を収容する袋状をなす縦長のシート本体１４ａと、該シート本体１４ａの縦方向に延びる開口部１４ｂを遮蔽する上部遮蔽シート片２５とを備えている。又、ラッピングシート１４は、前記開口部１４ｂを遮蔽する下部遮蔽シート片２６と、前記インフレータ１２に接続され、かつシート本体１４ａの外部に導出された前記ハーネス１７をクランプするクランプ片３２と、このクランプ片３２をシート本体１４ａの表面に貼り付ける止着手段としてのコーションラベル３５とを備えている。
【００２８】
次に、前記ラッピングシート１４の展開構成を示す図５に基づいて、ラッピングシート１４の詳細を説明する。
このラッピングシート１４は、熱溶着可能な例えばポリエステルからなる不織布等の一枚のシート素材２０によって形成されている。前記シート本体１４ａを形成する第１シート片２１と第２シート片２２の境界部には膨張展開されるサイドエアバッグ１３によって突き破られる展開用スリット２３が間欠的に切り込み形成されている。第２シート片２２の左端縁には仮想の折目線２４を介して上部遮蔽シート片２５と、下部遮蔽シート片２６がそれぞれ一体に連続して形成されている。この実施形態では、図５において、前記第２シート片２２の左端縁が前記開口部１４ｂの一方の開口縁Ｅ１となり、第１シート片２１の右端縁が他方の開口縁Ｅ２となる。
【００２９】
上部遮蔽シート片２５と下部遮蔽シート片２６の境界部には分離スリット２７が形成され、該分離スリット２７の内端部には前記ハーネス１７をシート本体１４ａの内部から導出するための導出孔２８が形成されている。前記下部遮蔽シート片２６の中間部には縦方向に指向する仮想の折目線２９が設定されている。この折目線２９を境界としてその左右両側には接合部２６ａ，２６ｂが形成されている。そして、折目線２９を中心にして下部遮蔽シート片２６の接合部２６ｂが接合部２６ａ側に折り返えされ、二層シート構造の下部遮蔽シート片２６が形成され、溶着予定部３０を熱溶着装置によって溶着するようにしている。前記接合部２６ｂの先端縁には溶着予定部３０から延びるようにクランプ片３２が一体に形成されている。
【００３０】
前記第１シート片２１には前記取付ボルト１６，１６を貫通するための貫通孔２１ａ，２１ｂが形成されている。前記下部遮蔽シート片２６の接合部２６ａ，２６ｂには前記貫通孔２１ａ，２１ｂと対応して同じく前記取付ボルト１６，１６を貫通するための貫通孔２６ｃ，２６ｄが形成されている。前記第２シート片２２には前記コーションラベル３５の貼付位置を指示するためのラベル貼付位置指示孔２２ａ，２２ｂが貫通形成されている。又、前記クランプ片３２にも前記ラベル貼付位置指示孔２２ａ，２２ｂと対応するようにラベル貼付位置指示孔３２ａ，３２ｂが貫通形成されている。
【００３１】
前記第２シート片２２の上端縁２２ｃには、凹状の切欠２２ｅ，２２ｆが形成され、前記上部遮蔽シート片２５の上端縁２５ａにも、凹状の切欠２５ｂ，２５ｃが形成されている。
【００３２】
次に、前記のように構成されたシート素材２０を用いてラッピングシート１４を製造する方法について説明する。
最初に、図６（ａ）に示すように第１シート片２１を展開用スリット２３を中心に第２シート片２２側に折り返す。
【００３３】
次に、図６（ｂ）に示すように折り返えされた第１シート片２１の表面に対し折目線２４を中心に上部遮蔽シート片２５のみを折り返して重ね合わせる。この状態で三層の第１シート片２１、第２シート片２２及び上部遮蔽シート片２５の上端縁２１ｃ，２２ｃ，２５ａの溶着予定部３６を熱溶着装置（図示略）によって溶着し、これにより形成された溶着部３６ａによって各層のシート片２１，２２，２５の上端縁を結合する（図７参照）。又、二層の第１及び第２シート片２１，２２の重ね合わされた下端縁２１ｄ，２２ｄの溶着予定部３７を同じく熱溶着装置によって溶着し、これにより形成された溶着部３７ａによってニ層のシート片２１，２２の下端縁を結合する（図７参照）。以上の工程によって袋状のシート本体１４ａが形成される。
【００３４】
次に、図６（ｃ）に示すように下部遮蔽シート片２６の接合部２６ｂを折目線２９を中心にして接合部２６ａの裏面側に折り返して重ね合わせ、溶着予定部３０，３０を熱溶着装置によって溶着し、これにより形成された溶着部３０ａによって下部遮蔽シート片２６の二層の接合部２６ａ，２６ｂを結合する。
【００３５】
このようにして、下部遮蔽シート片２６が形成されるとともに、その下部遮蔽シート片２６の先端縁にクランプ片３２が形成され、図７に示すようにラッピングシート１４の製造が完了する。
【００３６】
図７に示すようにラッピングシート１４のシート本体１４ａには開口部１４ｂが形成される。従って、この開口部１４ｂから前記インフレータ１２と折り畳まれたサイドエアバッグ１３をシート本体１４ａに収容する。この収容作業の際には、前記ラッピングシート１４のシート本体１４ａの上部の開口部１４ｂが上部遮蔽シート片２５によって遮蔽されている。このため、前記下部遮蔽シート片２６及びクランプ片３２を開口部１４ｂから展開した状態で、インフレータ１２及びサイドエアバッグ１３の上端部をシート本体１４ａの上部収容室に対し図７の矢印で示すように上部遮蔽シート片２５の直下の開口部１４ｂから斜め上方に移動して挿入する。その後、インフレータ１２及びサイドエアバッグ１３の中間部と下部を、前記開口部１４ｂからシート本体１４ａの内部に収容する。
【００３７】
その後、インフレータ１２に接続されたハーネス１７を導出孔２８から外部に導出する。さらに、インフレータ１２の取付ボルト１６，１６を第１シート片２１の貫通孔２１ａ，２１ｂから外部に突出させる。そして、下部遮蔽シート片２６を折目線２４を中心に第１シート片２１の表面側に接触するように反転し、その貫通孔２６ｃ，２６ｄに取付ボルト１６，１６を貫通し、下部遮蔽シート片２６を取付ボルト１６，１６に係止する。（図１参照）
さらに、ハーネス１７を図１，２に示すようにクランプ片３２によってクランプし、クランプ片３２の先端縁と、シート本体１４ａを構成する第２シート片２２の表面に跨るようにしてコーションラベル３５を貼り付け、クランプ片３２をクランプ位置に保持する。
【００３８】
以上のように構成されたサイドエアバッグ装置１１は、図３に示すように、座席８の背もたれ部９に内蔵される。そして、車両のサイドドア１０に設けた車両の側方からの衝突を検知するセンサ（図示略）がオンされたとき、ハーネス１７からインフレータ１２に給電されて、サイドエアバッグ１３が矢印Ｐで示す方向に膨張展開され、乗員とサイドドア１０との間に進入され、乗員の保護が図られる。
【００３９】
上記実施形態のサイドエアバッグ装置によれば、以下のような特徴を得ることができる。
（１）上記実施形態では、前記シート本体１４ａの開口部１４ｂを遮蔽する下部遮蔽シート片２６の近傍にクランプ片３２を設け、ハーネス導出孔２８から導出されたハーネス１７をシート本体１４ａの外周面とクランプ片３２との間でクランプするようにした。又、コーションラベル３５によってクランプ片３２の先端縁をシート本体１４ａの外周面に接着するようにした。このため、ハーネス１７をラッピングシート１４のシート本体１４ａの外周面に対し、従来のクリップ部材を用いることなく、安定して保持することができ、前記背もたれ部９へのサイドエアバッグ装置１１の組付作業を容易に行うことができる。又、ハーネス１７をクランプするための単体のクランプ部材を無くして部品点数を低減して、製造を容易に行い、コストの低減を図ることができる。
【００４０】
（２）上記実施形態では、一枚のシート素材２０によってラッピングシート１４のクランプ片３２を形成したので、クランプ片３２の材料費を低減することができる。
【００４１】
（３）上記実施形態では、前記クランプ片３２の先端縁をコーションラベル３５によってシート本体１４ａの外周面に貼り付けるようにした。このため、クランプ片３２の貼り付けに専用の貼付テープを用いる必要がなく、クランプ片３２の止着手段の部品点数を低減して製造を容易に行い、コストの低減を図ることができる。
【００４２】
（４）上記実施形態では、クランプ片３２にラベル貼付位置指示孔３２ａ，３２ｂを形成するとともに、第２シート片２２にラベル貼付位置指示孔２２ａ，２２ｂを形成した。このため、これらの指示孔をシート素材２０の型成形時に同時に成形することができ、従って、コーションラベル３５の貼付位置を指示するためのケガキ線やマークを別行程で形成する必要がなく、製造を容易に行い、コストの低減を図ることができる。
【００４３】
（５）上記実施形態では、第２シート片２２の上端縁２２ｃ及び上部遮蔽シート片２５の上端縁２５ａに切欠２２ｅ，２２ｆ、２５ｂ，２５ｃを形成した。このため、各シート片２１，２２，２５の上端縁２１ｃ，２２ｃ及び２５ａを図４に示すように三層に重ね合わせて、熱溶着装置により溶着する際、各切欠を通して熱が二層の端縁に確実に伝達されて三層の端縁が確実に溶着される。
【００４４】
（６）前記実施形態では、コーションラベル３５によって図２に示すようにラベル貼付位置指示孔２２ａ，２２ｂ，３２ａ，３２ｂを閉鎖するようにした。この場合には、ラッピングシート１４によるサイドエアバッグ１３の通気遮断性能が向上する。このため、座席８の背もたれ部９内に充填されたウレタンパッドから揮発するアミン触媒によるサイドエアバッグ１３の材料（ポリアミド）の劣化を抑制することができる。
【００４５】
なお、上記実施形態は以下のように変更してもよい。
○  図８に示すように、前記クランプ片３２の表面にハーネス１７を支持し、クランプ片３２を溶着部３０ａから下部遮蔽シート片２６側に折り返し、クランプ片３２に形成した貫通孔３２ｃに取付ボルト１６を貫通してもよい。
【００４６】
この別例では、クランプ片３２をコーションラベル３５によりクランプ位置に保持しなくてもよい。
○  図９に示すように、下部遮蔽シート片２６の基端縁に単独で形成されたクランプ片３２の基端縁を溶着部３０ａにより結合し、ハーネス１７をクランプした状態でクランプ片３２の貫通孔３２ｃを取付ボルト１６に係止するようにしてもよい。
【００４７】
この別例において、図９の二点鎖線で示すようにクランプ片３２を取付ボルト１６と反対側に折り返してハーネス１７をクランプし、クランプ片３２の先端縁をコーションラベル３５によりシート本体１４ａの表面に貼り付けてもよい。
【００４８】
○  取付手段としての取付ボルト１６に代えて、係止ピン、係止爪等を用いてもよい。
○  前記コーションラベル３５の貼付位置指示孔２２ａ，２２ｂ，３２ａ，３２ｂに代えて、貼付位置指示凹部又は貼付位置指示凸部を型成形してもよい。
【００４９】
○  前記実施形態では、前記ラベル貼付位置指示孔２２ａ，２２ｂ、３２ａ，３２ｂを円形にしたが、これを三角形、四角形或いは矢印状の指示孔としてもよい。又、コーションラベル３５によって指示孔を閉鎖しないように、指示孔の形成位置を設定してもよい。
【００５０】
○  クランプ片３２の止着手段としてコーションラベル３５或いは取付ボルト１６に代えて、専用の貼付テープ、貼付ラベルを用いてもよい。
○  前記切欠２２ｅ，２２ｆ、切欠２５ｂ，２５ｃの形状を、例えば半円形、楔状或いはスリット状としてもよい。又、切欠に代えて透孔を形成してもよい。又、これらの切欠や透孔は、多数箇所に形成してもよい。
【００５１】
○  前記実施形態では、三層のシート片２１，２２，２５の熱溶着用の接合端部に切欠２２ｅ，２２ｆ、２５ｂ，２５ｃを設けたが、四層以上のシート片の接合端部に具体化してもよい。
【００５２】
○  前記実施形態では、上部遮蔽シート片２５を設けたが、例えばラッピングシート１４の長さ寸法が短い場合には、前記上部遮蔽シート片２５を省略してもよい。
【００５３】
○  前記実施形態では、車両の衝突を検知するセンサによりサイドエアバッグ１３が膨張展開されるようにしたが、これに代えて、予測センサにより車両の衝突が予測され、衝突が確実視されたときにサイドエアバッグ１３を膨張展開するようにしてもよい。
【００５４】
○  前記サイドエアバッグ装置１１の装着場所を、座席８の背もたれ部９に代えて、着座部の側部にしたり、サイドドア１０のドア開口の上縁部にしたりしてもよい。
【００５５】
【発明の効果】
以上詳述したように、請求項１〜９に記載の発明は、インフレータに接続されたハーネスをラッピングシートに安定して保持することができるとともに、ハーネスをクランプするための部品点数を低減して製造及び組付作業を容易に行い、コストの低減を図ることができる。
【００５６】
請求項２記載の発明は、請求項１に記載の発明の効果に加えて、取付ボルトを利用して遮蔽シート片を遮蔽位置に係止することができる。
請求項３記載の発明は、請求項１又は２に記載の発明の効果に加えて、前記止着手段を貼付シートにより容易に形成することができる。
【００５７】
請求項４記載の発明は、請求項３に記載の発明の効果に加えて、前記貼付シートがコーションラベルであるため、専用の貼付シートを用いなくても済み、部品点数を低減して、コストの低減を図ることができる。
【００５８】
請求項５記載の発明は、請求項３又は４に記載の発明の効果に加えて、コーションラベルの貼付位置の設定を容易に行い、コストの低減を図ることができる。
請求項６記載の発明は、請求項１〜５のいずれか１項に記載の発明の効果に加えて、袋状のシート本体のシート片の端縁が三層接合であっても、各シート片の熱溶着を確実に行うことができる。
【００５９】
請求項７記載の発明は、ラッピングシートのシート本体、遮蔽シート片及びクランプ片が一枚のシート素材によって形成されているので、製造を容易に行い、コストの低減を図ることができる。
【００６０】
請求項８記載の発明は、請求項７記載の発明の効果に加えて、クランプ片によるハーネスのクランプ位置を遮蔽シート片と反対側に設定することができる。
【図面の簡単な説明】
【図１】本発明のサイドエアバッグ装置の一実施形態を示す全体斜視図。
【図２】上記サイドエアバッグ装置を反対側から見た全体斜視図。
【図３】サイドエアバッグ装置の横断面図。
【図４】ラッピングシートの端縁部の接合構造を示す断面図。
【図５】ラッピングシートの展開図。
【図６】（ａ），（ｂ），（ｃ）は、ラッピングシートの製造工程を示す端面図。
【図７】インフレータ、サイドエアバッグ及びラッピングシートの斜視図。
【図８】この発明の別例を示すサイドエアバッグ装置の横断面図。
【図９】この発明の別例を示すサイドエアバッグ装置の横断面図。
【符号の説明】Ｅ１，Ｅ２…開口縁、１１…サイドエアバッグ装置、１２…インフレータ、１３…サイドエアバッグ、１４…ラッピングシート、１４ａ…シート本体、１４ｂ…開口部、１６…取付ボルト、１７…ハーネス、２０…シート素材、２１…第１シート片、２５…シート片、２１ａ，２１ｂ，２６ｃ，２６ｄ，３２ｃ…貫通孔、２２…第２シート片、２２ａ，２２ｂ，３２ａ，３２ｂ…貼付位置指示孔、２２ｅ，２２ｆ，２５ｂ，２５ｃ…切欠、３２…クランプ片、３５…コーションラベル。
【図１】
2004291887.tif 000003
【図２】
2004291887.tif 000004
【図３】
2004291887.tif 000005
【図４】
2004291887.tif 000006
【図５】
2004291887.tif 000007
【図６】
2004291887.tif 000008
【図７】
2004291887.tif 000009
【図８】
2004291887.tif 000010
【図９】
2004291887.tif 000011